(57)【要約】【課題】  梱包箱内で被梱包物を捻じれなくしっかりと保持するために、保持部材の材料として、硬度の比較的硬いものを採用しても、保持部材の梱包箱内への圧入をし易くした梱包体を提供する。【解決手段】  被梱包物Ａの両端に保持部材３Ａ、３Ｂを嵌め、この保持部材３Ａ、３Ｂを嵌めた被梱包物Ａを収容する梱包箱１を備える梱包体において、保持部材３Ａ、３Ｂの端面に梱包箱の内面に押し当てる突部６を設け、この突部６の端部に、保持部材３Ａ、３Ｂを嵌めた被梱包物Ａを梱包箱内に収容する際に、挿入ガイドとなるテーパ部７を設けた。【選択図】図４
2010149893.tif 000002
【特許請求の範囲】
【請求項１】
被梱包物の両端に保持部材を嵌め、この保持部材を嵌めた被梱包物を収容する梱包箱を備える梱包体において、保持部材の端面に梱包箱の内面に押し当てる突部を設け、この突部の端部に、保持部材を嵌めた被梱包物を梱包箱内に収容する際に、挿入ガイドとなるテーパ部を設けたことを特徴とする梱包体。
【請求項２】
請求項１に記載の梱包体において、上記の保持部材の端面の突部が、対角線方向に延びる突条であることを特徴とする梱包体。
【請求項３】
請求項１又は請求項２に記載の梱包体において、上記の梱包箱を収容させる外箱を設け、この外箱と梱包箱との間の空間に緩衝部材を収容し、この緩衝部材の硬度を、保持部材の硬度よりも柔らかく設定した梱包体。
【請求項４】
請求項３に記載の梱包体において、上記の保持部材と緩衝部材を発泡樹脂によって形成し、保持部材の発泡倍率よりも緩衝部材の発泡倍率の方を大きく設定したことを特徴とする梱包体。
【請求項５】
請求項１〜請求項４のいずれかの１項に記載の梱包体において、被梱包物が現像装置を備えたイメージングユニットであることを特徴である梱包体。
【発明の詳細な説明】
【技術分野】
【０００１】
本発明は、被梱包物を捻じれや衝撃から保護する梱包体、特に現像装置を備えたイメージングユニットの梱包に好適な梱包体に関するものである。
【背景技術】
【０００２】
従来から、複写機やプリンタ等の画像形成装置に用いるトナーが収容されたイメージングユニット等は、定期的に交換する必要があるので、段ボール等で構成された梱包箱内に収容して運搬や保管が行われている。
【０００３】
このようなイメージングユニット等の精密部品は、被梱包物と梱包箱との空間を、緩衝材によって埋めることにより、被梱包物が梱包箱内でガタつかないようにし、被梱包物を運搬や保管中における衝撃から保護する梱包形態を採用するのが一般的である（特許文献１）。
【特許文献１】実用新案登録第３１０６０１１号公報
【発明の開示】
【発明が解決しようとする課題】
【０００４】
ところで、上記イメージングユニットは、内部に現像ローラ等の回転軸が入った軸方向に長い形態をしており、特に捻じれに弱い構造をしている。
【０００５】
このような、被梱包物を梱包箱内に収容する場合には、梱包箱内で被梱包物が捻じれないように、梱包箱内で被梱包物をしっかりと保持するために、被梱包物の両端に、梱包箱との間の隙間を埋める樹脂製の保持部材を嵌め、梱包箱内に圧入することが望ましい。
【０００６】
しかしながら、保持部材を嵌めた被梱包物が梱包箱内に圧入されるようにするためには、保持部材を嵌めた被梱包物の軸方向の長さを、梱包箱の軸方向の内寸法よりも長くする必要があり、梱包箱への被梱包物の収容が困難になる。
【０００７】
また、保持部材は、梱包箱内で被梱包物を捻じれなくしっかりと保持するために、保持部材の材料として、硬度の比較的硬いものを採用する必要がある。
【０００８】
ところが、保持部材の材料に硬度の比較的硬いものを採用した場合、緩衝効果が弱くなるという問題が生じる。
【０００９】
そこで、本発明は、保持部材を嵌めた被梱包物を梱包箱内に圧入し易くすること、また、保持部材に硬度の硬いものを採用しても、緩衝効果が保たれるようにすることを課題とするものである。
【課題を解決するための手段】
【００１０】
本発明においては、上記のような課題を解決するために、被梱包物の両端に保持部材を嵌め、この保持部材を嵌めた被梱包物を収容する梱包箱を備える梱包体において、保持部材の端面に梱包箱の内面に押し当てる突部を設け、この突部端部に、保持部材を嵌めた被梱包物を梱包箱内に収容する際に、挿入ガイドとなるテーパ部を設けた構成としたものである。
【００１１】
上記の保持部材の端面の突部は、対角線方向に延びる突条にすることができる。このように突部を対角線方向に延びる突条にすると、保持部材が梱包箱に対してどの方向に向いていても圧入が可能となる。
【００１２】
また、本発明における梱包体においては、上記の梱包箱を収容させる外箱を設け、この外箱と梱包箱との間の空間に緩衝部材を収容し、この緩衝部材の硬度を、保持部材の硬度よりも柔らかく設定することができる。
【００１３】
ここで、上記の保持部材と緩衝部材は、発泡樹脂によって形成することができる。このように保持部材と緩衝部材とを発泡樹脂によって形成する場合、保持部材の発泡倍率よりも緩衝部材の発泡倍率の方を大きくすることにより、緩衝部材の硬度を、保持部材の硬度よりも柔らかく設定することができる。
【００１４】
本発明の梱包体は、被梱包物が現像装置を備えたイメージングユニットである場合に好適に利用することができる。
【発明の効果】
【００１５】
本発明の梱包体においては、上記のように保持部材の端面に梱包箱の内面に押し当てる突部を設け、この突部端部に、保持部材を嵌めた被梱包物を梱包箱内に収容する際に、挿入ガイドとなるテーパ部を設けたため、この保持部材を嵌めた被梱包物を梱包箱内に圧入し易くなる。
【００１６】
また、上記の梱包箱を収容させる外箱を設け、この外箱と梱包箱との間の空間に緩衝部材を収容し、この緩衝部材の硬度を、保持部材の硬度よりも柔らかく設定すると、保持部材に硬度の硬いものを採用しても、優れた緩衝効果が得られるようになる。
【発明を実施するための最良の形態】
【００１７】
以下、本発明の実施形態に係る梱包体を添付図面に基づいて説明する。この実施形態の梱包体は、現像装置を備えたイメージングユニットを被梱包物としたものであるが、被梱包物は現像装置を備えたイメージングユニットに限定されるものではなく、その形態もその要旨を変更しない範囲において、適宜変更して実施できるものである。
【００１８】
この実施形態における梱包体は、被梱包物Ａを収容させる梱包箱１とこの梱包箱１を収容させる外箱２との二重構造からなっている。
【００１９】
ここで、上記の梱包箱１と外箱２は、それぞれ段ボールによって形成されている。
【００２０】
そして、梱包箱１は、細長い矩形の底面壁１ａの周囲に立設された正面壁１ｂ、背面壁１ｃ、両端面壁１ｄ、１ｅからなる上面が開口する細長い四角形の胴部と、この胴部の正面壁１ｂと背面壁１ｃの上縁に連設された蓋壁１ｆ、１ｇと、胴部の端壁１ｄ、１ｅの上縁に連設された内フラップ１ｈ、１ｉとからなる。
【００２１】
また、外箱２は、細長い矩形の底面壁２ａの周囲に立設された正面壁２ｂ、背面壁２ｃ、両端面壁２ｄ、２ｅからなる上面が開口する細長い四角形の胴部と、この胴部の正面壁２ｂと背面壁２ｃの上縁に連設された蓋壁２ｆ、２ｇと、胴部の端壁２ｄ、２ｅの上縁に連設された内フラップ２ｈ、２ｉとからなる。
【００２２】
ここで、現像装置を備えたイメージングユニットからなる被梱包物Ａを梱包する場合には、まず、図１に示すように、被梱包物Ａを粉塵などから保護するために、包装袋Ｂに収容した後、図２に示すように、包装袋Ｂに収容した被梱包物Ａの両端に保持部材３Ａ、３Ｂを嵌める。
【００２３】
次いで、図３に示すように、保持部材３Ａ、３Ｂを嵌めた状態で、梱包箱１に包装袋Ｂに収容した被梱包物Ａを圧入した後、梱包箱１の上面における開口を上記の蓋壁１ｆ、１ｇと、内フラップ１ｈ、１ｉによって閉じる。
【００２４】
ここで、上記の保持部材３Ａ、３Ｂは、対向面に、被梱包物Ａの端部がぴったりと嵌まる形状の収容凹部４を有する四角形のブロック形状をしている。図２、図３において左側の保持部材３Ａは、図５に示すように、端面が閉塞した形状をしていおり、また右側の保持部材３Ｂは、図６に示すように、中央部に開口５が設けられている。
【００２５】
また、上記の各保持部材３Ａ、３Ｂの端面には、それぞれ梱包箱１の内面に押し当てる突部６を設けている。ここで、各突部６の高さは、保持部材３Ａ、３Ｂを嵌めた被梱包物Ａを梱包箱１内に圧入して段ボール製の梱包箱１が変形する程度の高さ、例えば、梱包箱１の内法寸法を５００ｍｍとした場合に、２ｍｍ程度の高さに設定している。また、上記の各突部６の外方側の端部には、梱包箱１内に保持部材３Ａ、３Ｂを嵌めた被梱包物Ａを収容する際に、挿入ガイドとなるテーパ部７を設けている（図４参照）。
【００２６】
ここで、保持部材３Ａの突部６は、対角線方向に延びる突条によって形成され、中央部分で交差する形状に形成している。また、保持部材３Ｂの突部４は、開口５の周囲に高さの高い部分を設け、この開口５の四隅から対角線方向にテーパ部７を設けている。
【００２７】
また、保持部材３Ａ、３Ｂの各側壁の外面に突条８を形成し、被梱包物Ａを収容する際に、保持部材３Ａ、３Ｂの側壁と梱包箱１の内壁との接触面積を少なくしている。
【００２８】
ここで、上記の保持部材３Ａ、３Ｂは、比較的に硬度が硬い発泡樹脂、例えば、発泡倍率が１５倍の発泡ポリプロピレン、発泡倍率が２０倍の発泡ポリスチレンによって形成している。
【００２９】
そして、この実施形態の梱包体は、梱包箱１と外箱２との二重構造からなり、梱包箱１の両端に緩衝部材９を嵌め、この緩衝部材９により、外箱２と梱包箱１との間の空間を埋めている。
【００３０】
この緩衝部材９は、対向面に内箱２を収容する凹部１０を有する四角形のブロック形状をしており、その周面壁と端面壁の外面に、緩衝効果を高めるために、多数の突部１１、１２を設けている。
【００３１】
ここで、上記の緩衝部材９は、保持部材３Ａ、３Ｂと同様に発泡樹脂により形成しているが、その硬度を保持部材３Ａ、３Ｂよりも柔らかく設定している。例えば、発泡倍率が４５倍の発泡ポリプロピレン、発泡倍率が４０倍の発泡ポリエチレンにより形成している。
【００３２】
この実施形態の梱包体は、以上のように、梱包箱１内において、被梱包物Ａが硬度の硬い保持部材３Ａ、３Ｂにより、ガタつきなく、また被梱包物Ａが捻じれないように、しっかりと保持した状態に梱包することができる。
【００３３】
また、この梱包箱１の外側に外箱２が設けられ、梱包箱１と外箱２の間に、保持部材３Ａ、３Ｂよりも硬度が柔らかい緩衝部材９を収容しているので、被梱包物Ａを収容した梱包箱１全体を、外部の衝撃から保護することができる。
【図面の簡単な説明】
【００３４】
【図１】本発明の一実施形態に係る梱包体において用いる被梱包物Ａと包装袋Ｂを示した斜視図である。
【図２】同実施形態において、包装袋Ｂに収容した被梱包物Ａの両端に保持部材３Ａ、３Ｂを嵌める状態を示した斜視図である。
【図３】同実施形態において、包装袋Ｂに収容した被梱包物Ａの両端に保持部材３Ａ、３Ｂを嵌め、梱包箱１に圧入し、梱包箱１を閉じるまでの状態を示した斜視図である。
【図４】同実施形態において、包装袋Ｂに収容した被梱包物Ａの両端に保持部材３Ａ、３Ｂを嵌め、梱包箱１に圧入する前の状態を示した一部縦断正面図である。
【図５】同実施形態の梱包体に使用する一方の保持部材３Ａの斜視図である。
【図６】同実施形態の梱包体に使用する他方の保持部材３Ｂの斜視図である。
【図７】同実施形態において、梱包箱１の両端に緩衝部材６を嵌め、外箱２に収容する状態を示した斜視図である。
【符号の説明】
【００３５】
１  梱包箱
２  外箱
３Ａ、３Ｂ  保持部材
４  収容凹部
５  開口
６  突部
７  テーパ部
８  突条
９  緩衝部材
１１、１２  突部
Ａ  被梱包物
Ｂ  包装袋
【図１】
2010149893.tif 000003
【図２】
2010149893.tif 000004
【図３】
2010149893.tif 000005
【図４】
2010149893.tif 000006
【図５】
2010149893.tif 000007
【図６】
2010149893.tif 000008
【図７】
2010149893.tif 000009